(57)【特許請求の範囲】
【請求項１】
発泡促進剤としてエトキシル化ひまし油１０〜３０重量％、発泡調整剤としてココアミドプロピルベタイン０．１〜０．５重量％、及び少なくとも一種の噴射剤を含む発泡組成物をスポーツのコート又はフィールドのある位置上にスプレーする工程を含むことを特徴とする、スポーツにおける規定距離の一時的境界設定方法。
【請求項２】
前記組成物が、更に、芳香マスキング剤又は芳香剤を含むことを特徴とする、請求項１に記載の方法。
【請求項３】
芳香マスキング剤又は芳香剤が精油類から選択されることを特徴とする、請求項２に記載の方法。
【請求項４】
前記組成物が、更に、増粘剤及び発泡安定剤を含むことを特徴とする、請求項１に記載の方法。
【請求項５】
増粘剤及び発泡安定剤がアルカノールアミド、強イオン性塩類、アニオン性界面活性剤又はそれらの混合物であることを特徴とする、請求項４に記載の方法。
【請求項６】
増粘剤及び発泡安定剤がココナツ脂肪酸ジエタノールアミド、塩化ナトリウム、ナトリウムラウリルエーテルスルフェート又はそれらの混合物であることを特徴とする、請求項５に記載の方法。
【請求項７】
前記組成物が、更に、殺細菌剤を含むことを特徴とする、請求項１に記載の方法。
【請求項８】
殺細菌剤がトリアジン類、ベンゾイソチアゾリノン化合物、クロロメチルイソチアゾリノン化合物及びそれらの混合物からなる群から選択されることを特徴とする、請求項７に記載の方法。
【請求項９】
殺細菌剤がトリアジンであることを特徴とする、請求項８に記載の方法。
【請求項１０】
噴射剤がプロパンガス、ブタンガス、窒素ガス、ＣＯ2ガス又はそれらの混合物である、請求項１に記載の方法。
【請求項１１】
噴射剤がプロパンガスであることを特徴とする、請求項１０に記載の方法。
【請求項１２】
発泡調整剤／発泡促進剤の組み合わせが揮発性気泡を提供するのに十分な定量比で存在し、４０秒〜３分間の範囲の時間内は活性かつ安定に留まることを特徴とする、請求項１に記載の方法。
【請求項１３】
トリアジン０．０５〜３．００重量％及び芳香マスキング剤又は芳香剤０．２〜０．８重量％、並びに残余量の水及び噴射剤を含むことを特徴とする、請求項１に記載の方法。
【請求項１４】
前記組成物が、更に、一種以上の着色顔料を含むことを特徴とする、請求項１に記載の方法。
【請求項１５】
前記スポーツのフィールドがサッカーフィールドである、請求項１に記載の方法。
【発明の詳細な説明】
【０００１】
発明の属する技術分野
本発明の目的は、速やかな適用手段により、競技が実施される場所に何らの障害を生じないで、ルール及び試合条件を充たすことを確実にし、守られるべき最小距離に関して競技者を位置させることについていかなる疑いも議論も回避し得る、一時的の距離境界の設定を必要とするスポーツ競技において使用するのに適した、スポーツのコート及びフィールド上の規定距離を一時的にマークし、又境界を定めるためのフォーム水性組成物の提供にある。
【０００２】
発明の背景
米国特許第５，７１１，７９０号明細書及び米国特許第５，７３５，９４０号明細書（Ｃｏｌｌｅｒ）は、基体表面から除去できる水ベースのマーキング組成物を開示している。そのような組成物は、水、水溶性塩又は水溶性塩の混合物、及び着色料を含み、表面上、特に雪又は氷表面上の着色された一時的マークを形成するために使用される。しかしながら、これらのマーキングは、それら表面から自然に消滅しない。それを除去するために、例えば、雨により洗い流されるか、雪又は氷が融けてそれと共に消失されねばならない。
【０００３】
米国特許第６，０７７，８９８号明細書（Ｆｌｏｒｅｓ）は、一時的にトンネル及び道にマーキングするのに適したマーキングフィルム形成性ポリマーを含む、水性エアロゾル塗料組成物に言及する。米国特許第５，７１１，７９０号明細書及び米国特許第５，７３５，９４０号明細書の組成物により製造されたマーキングのように、これらのマーキングは、又一時的であるが、それらマーキングは、自らは消失せず、水、例えば雨によって除去されねばならない。
【０００４】
米国特許第５，１７４，５７１号明細書（Ａｕｂｕｓｓｏｎら）は、レーザービームを使用して、一時的可視ラインを形成する方法及び装置を開示している。これらは、一義的には多目的の広場中に数多くの異なったスポーツのコート及びフィールドの境界区画線を形成することを意図するが、その場合には特定の一種のスポーツに対する境界区画線のみが一時に見ることができる。
【０００５】
文献ＮＬ（オランダ）８８０１０１０及びＮＬ（オランダ）８８００６２２（Ｎｉｊｅｎｈｕｉｓ）は、照明発生装置に連結した競技場の下に配備された光学繊維ケーブルの束からなる照明マーカーシステムに関する。そのようなシステムは、同じ場所が異なった競技に使用できるようにコート及びフィールドの境界区画線を形成するよう意図されている。
【０００６】
本発明の目的
スポーツにおいて、例えば、サッカーにおいて、フリーキックをするとき、対戦チームのプレイヤーにより形成される防御壁の距離を境界区画するルールがある。この防御壁はボールから離れた規定距離にあるべきであり、そのような距離を減少するように動かすべきでない。この距離を区画するとき、試合のレフリーは、参考点を持ってないので、ボールに対して防護壁を形成するプレイヤーを動かしたり／近づけたりすることのチェックが殆ど不可能であり、それ故、必要とされる罰則を適用することが不可能となる。
【０００７】
加えて、この種の出来事は、あらゆる世界において問題を生ずる点であり、それに関する総体的な規制手段はないので、不注意と幸運を変えることにより、多くのチームが被害を被り、試合又は競技は、その技能性とタレント性を失う。
【０００８】
これらの問題を考慮し、又それを克服するために、本出願人は、スポーツのコート及びフィールド上の規定距離を一時的にマークし、境界を区画するのに適した発泡水性組成物を開発したが、それはスポーツに限らず、言論の自由としての壁、草、木、車、歩道、アスファルト上のメッセージ及び宣言に使用され得ることを保証する。
【０００９】
発明の要約
本発明は、少なくとも一種の非イオン界面活性剤又は両性界面活性剤を発泡促進剤として、又、発泡促進剤として使用される両性界面活性剤以外の少なくとも一種の両性界面活性剤を発泡調整剤として、少なくとも一種の流体発泡剤と組み合わせて含む、スポーツの規定距離の一時的境界設定用発泡水性組成物に関する。
【００１０】
本発明は、又、スポーツのコート及びフィールド上、特にサッカーフィールド上の規定距離をマークし、境界設定するための本組成物の使用に関する。
【００１１】
本発明の他の対象は、本発明の発泡水性組成物をスポーツのコート又はフィールドのある位置上にスプレーする工程を含む、スポーツにおける規定距離の一時的境界設定方法からなる。
【００１２】
本発明の詳細な説明
本発明に従って、発泡促進剤として使用される好ましい非イオン界面活性剤は、エトキシル化植物油、特にエトキシル化ひまし油である。エトキシル化ひまし油が組成物中に存在すると、くせのある臭いがするので、芳香マスキング剤又は芳香剤を添加することが好ましい。
【００１３】
両性界面活性剤が発泡促進剤として使用される場合、それは好ましくはアルキルジメチルアミンオキシドである。
【００１４】
発泡調整剤として使用される好ましい両性界面活性剤は、ベタイン類、特にココアミドプロピルベタインである。
【００１５】
発泡調整剤／発泡促進剤の組み合わせは、本発明の組成物中に揮発性気泡を提供するのに十分な定量比で存在し、行われるべき行為が終了するまで、例えば、サッカー試合においてフリーキックを行うために、視覚表象化できるのに十分な時間内において活性かつ安定に留まる。この時間は、スポーツに依存し、又、行われるべき行為に依存している。更に、より速い又はより遅い発泡体の分解は、又、スポーツが行われる場所の大気、気候及び天候条件に基づく。通常は、発泡組成物は、４０秒〜３分間の範囲の時間で可視状態に留まる。
【００１６】
実例として、サッカー試合において行われるフリーキックを例として考える。レフリーは、フリーキックをさせるために、ボール位置との関係において防御壁を位置させるべき距離を、歩数を数えることにより定める。本発明のスポーツ対象のコート及びフィールド中に規定距離をマークし、境界設定するための組成物を含むチューブを使用して、レフリーは、噴射ノズルを押し当て、防御壁を形成するための適切な位置上にラインを引きながら、草の上に揮発性発泡体を放出する。一人のプレイヤーが発泡体によりマークされたライン、従ってその発泡体上を踏んだ場合、発泡体は、プレイヤーの履物類に付着し、これにより、レフリーは、この状況に相応しい罰則を適用できる。もし、この発泡体を踏む代わりに、プレイヤーがそれを跨いだ場合、問題の地点がフィールド上に示されるので、あるプレイヤーがボールに近接しているのを視認でき、この状況に相応しい罰則を適用することが可能となる。
【００１７】
本発明の発泡水性組成物は、更に、アルカノールアミド、強イオン性塩類、アニオン性界面活性剤、又はそれらの混合物から選択され得る、発泡粘度調節剤及び／又は発泡安定剤のごとき、発泡体用の他の公知成分を含むことができる。好ましくは、ココナツ脂肪酸ジエタノールアミド、塩化ナトリウム、ナトリウムラウリルエーテルスルフェート又はそれらの混合物が、粘度調節剤及び／又は発泡安定剤として使用される。
【００１８】
水の存在下に有機化合物を破壊する細菌の培養を規制するために、殺細菌剤も又、本発明の発泡水性組成物において使用されうる。この目的にとって好ましい殺細菌剤は、トリアジン類、ベンゾイソチアゾリノン化合物、クロロメチルイソチアゾリノン化合物及びそれらの混合物からなる群から選択される。トリアジンが特に好ましい。
【００１９】
本発明の組成物において使用されるのに好ましい流体発泡剤は、プロパンガス、ブタンガス、窒素ガス、ＣＯ2ガス又はそれらの混合物から選択される。特に、４〜６重量％の範囲で使用されるプロパンガスが好ましい。
【００２０】
より視覚性を良くするために、本発明の組成物は、更に、一種以上の着色顔料を含むことができる。着色と関連した成分の量の変更は、極度に暑い又は寒い天候において、雨又は天気の日において、夜に昼に、天候の作用及び適用の強さに従って、本発明の組成物の使用を可能とする。
【００２１】
本発明の好ましい配合は、エトキシル化ひまし油１０〜３０重量％、ココアミドプロピルベタイン０．１〜０．５重量％、トリアジン０．０５〜３．００重量％及びエキス０．２〜０．８重量％、並びに残余量の水及び液体発泡剤、場合により着色顔料、を含む。
【００２２】
本発明の他の実施態様において、その組成物は、アルキルジメチルアミンオキシド０．５〜３重量％、ココアミドプロピルベタイン１〜３重量％、ナトリウムラウリルエーテルスルフェート１０〜３０重量％、塩化ナトリウム０．０１〜０．２０重量％、ココナツ脂肪酸ジエタノールアミド１〜５重量％、トリアジン０．０５〜３．００重量％及びプロパンガス４〜６重量％、並びに残余量の水及び液体発泡剤、場合により着色料、を含む。
【００２３】
本発明の組成物は、レフリーにより指定された距離を境界設定するためにスポーツのコート又はフィールドにマークを付与するように押されたときに発泡体を放出させる噴射ノズルを具備したチューブ、好ましくは、アルミニウム製のチューブに装填することができる。噴射ノズルの形状により、又、組成物を装填するチューブの径又は形状にも係るが、より大きいかより小さい、より広いかより薄い厚みの発泡体が放出可能となる。エスケープパイプは、好ましくは、上下逆さの位置になったときも、発泡組成物のアウトプットをできるように調整される。商業上入手可能の様々なアルミニウムチューブは、レフリーの衣類のポケット、胴着或いは他の部分に入れて容易に持ち運ぶことができ、また、数回利用することを可能とする。
【００２４】
本発明の発泡水性組成物は、生分解性、非毒性、非燃性、残留物不在性、非皮膚損傷性であり、又、草やその他の床を損傷しない。流体発泡剤は、クロロフルオロカーボンを含まないので、オゾン層に悪影響を与えない。
【００２５】
更に、本発明の組成物は、それが使用されるスポーツのいかなるルールの変更を必要としない。それどころか、ルールが適用され、又ルールが全ての人に対して同様に適用されることを確保するために、各レフリー、運動家、サポーター又はスポーツ競技者が要望する事項を可能とする。
【００２６】
下記の説明は、本発明をより判り易く記述することを意図する。しかしながら、説明されたデータ及び手順は、単に本発明の実施態様に関するものであり、本発明の範囲を限定するものと考えるべきでない。
【００２７】
実施例
これら実施例に示された全てのパーセントは、組成物の全重量に基づく重量パーセントである。
【００２８】
実施例１
発泡促進剤として非イオン性界面活性剤エトキシル化ひまし油及び、発泡調整剤として両性界面活性剤ココアミドプロピルベタインを用いて、発泡水性組成物を製造した。
【表１】
0005128746.tif 000002
【００２９】
実施例２
発泡促進剤として両性界面活性剤アルキルジメチルアミンオキシド、及び、発泡調整剤として両性界面活性剤ココアミドプロピルベタインを用いて、本発明の発泡水性組成物を製造した。
【表２】
0005128746.tif 000003
【００３０】
実施例３
発泡促進剤として両性界面活性剤アルキルジメチルアミンオキシド、及び、発泡調整剤として両性界面活性剤ココアミドプロピルベタインを用いて、本発明の緑色に着色された発泡水性組成物を製造した。
【表３】
0005128746.tif 000004
【００３１】
発泡促進剤として両界面活性剤アルキルジメチルアミンオキシド、及び、発泡調整剤として両性界面活性剤ココアミドプロピルベタインを含む、本発明の発泡水性組成物は、下記の物理的及び化学的データを示す。
密度                    ０．９１０〜１．１２０ｇ／ｃｍ3
色（顔料不添加）        かすかに黄色又はむしろ白色
外観                    透明かつ均一
粘度                    ７”〜２０”ＣＦｎｏ．３
ｐＨ                    ５．５〜９．５
発泡力                  発泡２００ｍｌに対して１００ｍｌ
【００３２】
実施態様例に基づいて記載したが、本発明は、特許請求の範囲によってのみ規定されるものであって、他の変形の態様もカバーするものであることが理解されねばならない。
以下に本願発明に関連する発明の実施形態について列挙する。
［実施形態１］  少なくとも一種の非イオン界面活性剤又は両性界面活性剤を発泡促進剤として、又、発泡促進剤として使用される両性界面活性剤以外の少なくとも一種の両性界面活性剤を発泡調整剤として、流体発泡剤と組み合わせて含むことを特徴とする、スポーツの規定距離の一時的境界設定用発泡水性組成物。
［実施形態２］  発泡調整剤用両性界面活性剤がベタイン類から選択されることを特徴とする、実施形態１に記載の組成物。
［実施形態３］  発泡調整剤用両性界面活性剤がココアミドプロピルベタインであることを特徴とする、実施形態１に記載の組成物。
［実施形態４］  発泡促進剤用非イオン界面活性剤がエトキシル化植物油であることを特徴とする、実施形態１〜３のいずれかに記載の組成物。
［実施形態５］  発泡促進剤用非イオン界面活性剤がエトキシル化ひまし油であることを特徴とする、実施形態４に記載の組成物。
［実施形態６］  更に、芳香マスキング剤又は芳香剤を含むことを特徴とする、実施形態１〜５のいずれかに記載の組成物。
［実施形態７］  芳香マスキング剤又は芳香剤が精油類から選択されることを特徴とする、実施形態６に記載の組成物。
［実施形態８］  発泡促進剤用両性界面活性剤がアルキルジメチルアミンオキシドであることを特徴とする、実施形態１〜３のいずれかに記載の組成物。
［実施形態９］  更に、増粘剤及び発泡安定剤を含むことを特徴とする、実施形態１〜８のいずれかに記載の組成物。
［実施形態１０］  増粘剤及び発泡安定剤がアルカノールアミド、強イオン性塩類、アニオン性界面活性剤又はそれらの混合物から選択されることを特徴とする、実施形態９に記載の組成物。
［実施形態１１］  増粘剤及び発泡安定剤がココナツ脂肪酸ジエタノールアミド、塩化ナトリウム、ナトリウムラウリルエーテルスルフェート又はそれらの混合物であることを特徴とする、実施形態１０に記載の組成物。
［実施形態１２］  更に、殺細菌剤を含むことを特徴とする、実施形態１〜１１のいずれかに記載の組成物。
［実施形態１３］  殺細菌剤がトリアジン類、ベンゾイソチアゾリノン化合物、クロロメチルイソチアゾリノン化合物及びそれらの混合物からなる群から選択されることを特徴とする、実施形態１２に記載の組成物。
［実施形態１４］  殺細菌剤がトリアジンであることを特徴とする、実施形態１３に記載の組成物。
［実施形態１５］  流体発泡剤がプロパンガス、ブタンガス、窒素ガス、ＣＯ2ガス又はそれらの混合物から選択されることを特徴とする、実施形態１〜１４のいずれかに記載の組成物。
［実施形態１６］  流体発泡剤がプロパンガスであることを特徴とする、実施形態１５に記載の組成物。
［実施形態１７］  発泡調整剤／発泡促進剤の組み合わせが揮発性気泡を提供するのに十分な定量比で存在し、４０秒〜３分間の範囲の時間内は活性かつ安定に留まることを特徴とする、実施形態１〜１６のいずれかに記載の組成物。
［実施形態１８］  エトキシル化ひまし油１０〜３０重量％、ココアミドプロピルベタイン０．１〜０．５重量％、トリアジン０．０５〜３．００重量％及びエキス０．２〜０．８重量％、並びに残余量の水及び液体発泡剤を含むことを特徴とする、実施形態１〜１７のいずれかに記載の組成物。
［実施形態１９］  アルキルジメチルアミンオキシド０．５〜３重量％、ココアミドプロピルベタイン１〜３重量％、ナトリウムラウリルエーテルスルフェート１０〜３０重量％、塩化ナトリウム０．０１〜０．２０重量％、ココナツ脂肪酸ジエタノールアミド１〜５重量％、トリアジン０．０５〜３．００重量％、並びに残余量の水及び液体発泡剤を含むことを特徴とする、実施形態１〜１７のいずれかに記載の組成物。
［実施形態２０］  更に、一種以上の着色含量を含むことを特徴とする、実施形態１〜１９のいずれかに記載の組成物。
［実施形態２１］  サッカーフィールド上の規定距離をマークし、境界設定するためのものであることを特徴とする、実施形態１〜２０のいずれかに記載の組成物の使用。
［実施形態２２］  実施形態１〜２０のいずれかに記載の組成物をスポーツのコート又はフィールドのある位置上にスプレーする工程を含むことを特徴とする、スポーツにおける規定距離の一時的境界設定方法。
［実施形態２３］  サッカーフィールド上の規定距離をマークすることを特徴とする、実施形態２２に記載の方法。